(57)【要約】【課題】配光を増加させること、反射効率を向上させること、中心領域の光度を向上させると共に配光を増加させること、スリム化を実現してデザイン自由度を向上させること、または、配光を向上させると共に加工が容易な発光モジュールを提供する。【解決手段】実施例による発光モジュールは、基板の一側に隣接するように前記基板上に配置された駆動部；前記基板の他側に隣接し、前記基板の一面上に配置された第１発光部；前記基板の他側に隣接し、前記基板の他面上に配置され、前記第１発光部と異なる波長を発光する第２発光部；及び前記第１及び第２発光部を囲み、前記第１及び第２発光部と対面する第１及び第２領域を含む反射部を含み、前記第１及び第２発光部それぞれは、少なくとも一つ以上の発光チップを含み、前記第１及び第２領域は、前記第１及び第２発光部それぞれの前記発光チップを基準に放物線屈曲を有する複数のサブ領域を含む。【選択図】図１
2020508553.tif 000002
【特許請求の範囲】
【請求項１】
基板の一側に隣接するように前記基板上に配置された駆動部；
前記基板の他側に隣接し、前記基板の一面上に配置された第１発光部；
前記基板の他側に隣接し、前記基板の他面上に配置され、前記第１発光部と異なる波長を発光する第２発光部；及び
前記第１及び第２発光部を囲み、前記第１及び第２発光部と対面する第１及び第２領域を含む反射部を含み、
前記第１及び第２発光部それぞれは、少なくとも一つ以上の発光チップを含み、
前記第１及び第２領域は、前記第１及び第２発光部それぞれの前記発光チップを基準に放物線屈曲を有する複数のサブ領域を含む発光モジュール。
【請求項２】
前記反射部は、複数のファセット（ｆａｃｅｔ）を含み、
前記反射部は、光が出射する出射面を含み、前記出射面方向に徐徐に広くなる幅を有し、
前記複数のファセットは、前記複数のサブ領域それぞれに配置され、互いに隣接した前記ファセットは、前記基板の一面と垂直な第１方向または水平な第１方向を基準に互いに異なる傾斜角を有する、請求項１に記載の発光モジュール。
【請求項３】
前記複数のファセットは、前記反射部の内側面上で凸または凹の表面を有する、請求項２に記載の発光モジュール。
【請求項４】
前記複数のファセットは、前記反射部の周り方向及び深さ方向に１２個以上配置された、請求項２に記載の発光モジュール。
【請求項５】
前記反射部は、前記出射面の反対側に配置された底面を含み、
前記出射面及び前記底面は、前記複数のサブ領域の境界領域に互いに対称する傾斜角を有する境界部を含む、請求項２に記載の発光モジュール。
【請求項６】
前記複数のサブ領域は、第１サブ領域ないし第４サブ領域を含み、
前記境界部は、互いに対称する第１面及び第２面を含み、
前記第１面は、第１サブ領域から延び、
前記第２面は、前記第２サブ領域から延び、
前記第１面及び第２面は、前記反射部の外側面上で前記反射部の内側方向に凹状に折曲された形状を有し、
前記境界部は、前記第１発光部の中心領域と対応して配置される、請求項５に記載の発光モジュール。
【請求項７】
前記境界部は、前記複数のサブ領域から延び、前記反射部の外側面に沿って前記複数のサブ領域の傾斜角と対応するように延び、互いに会う、請求項５に記載の発光モジュール。
【請求項８】
前記複数のファセットは、前記複数のサブ領域それぞれに配置された割合は、次のような式で求めることができ、
Ｍ：Ｎ（Ｍ≧８、Ｎ≧３）であり、
前記Ｍは、前記反射部の周り方向に配置されたファセットの個数であり、
前記Ｎは、前記反射部の深さ方向に配置されたファセットの個数である、請求項２に記載の発光モジュール。
【請求項９】
前記複数のファセットは、前記反射部の周り方向に同じ幅と同じ面積を有する、請求項２に記載の発光モジュール。
【請求項１０】
前記第１及び第２発光部は、前記第１方向に互いに重畳され、前記反射部の前記底面の外郭に配置され、
前記基板は、前記反射部の前記底面から前記反射部内側に突出した終端を含み、
前記終端と前記反射部の前記底面と出射面との間の距離は、次のような式で求めることができ、
ｄ１:ｄ２（１≦ｄ１≦１０、１０≦ｄ２≦１５）の関係を満足し、
ｄ１は、前記反射部の前記底面から前記終端までの距離であり、
ｄ２は、前記反射部の深さ方向の距離である、請求項５に記載の発光モジュール。
【発明の詳細な説明】
【技術分野】
【０００１】
実施例は、発光モジュールに関する。
【背景技術】
【０００２】
ＧａＮ、ＡｌＧａＮなどの化合物を含む半導体素子は、広くて調整の容易なバンドギャップエネルギーを有するなどの多くの長所を有するので、発光素子、受光素子および各種のダイオードなどに多様に使用することができる。
【０００３】
特に、ＩＩＩ族−Ｖ族またはＩＩ族−ＶＩ族化合物半導体物質を用いた発光ダイオード（Ｌｉｇｈｔ  Ｅｍｉｔｔｉｎｇ  Ｄｉｏｄｅ）やレーザーダイオード（Ｌａｓｅｒ  Ｄｉｏｄｅ）のような半導体素子は、薄膜成長技術および素子材料の開発によって、赤色、緑色、青色および紫外線などの多様な色を実現することができ、蛍光物質を用いたり色を組み合わせることによって効率の良い白色光源も実現可能であり、蛍光灯、白熱灯などの既存の光源に比べ、低消費電力、半永久的な寿命、速い応答速度、安全性、環境親和性などの長所を有する。
【０００４】
さらに、光検出器や太陽電池のような受光素子もＩＩＩ族−Ｖ族またはＩＩ族−ＶＩ族化合物半導体物質を用いて製作する場合、素子材料の開発により多様な波長領域の光を吸収して光電流を生成することによってガンマ線からラジオ波長領域まで多様な波長領域の光を用いることができる。また、速い応答速度、安全性、環境親和性および素子材料の容易な調節などの長所を有するので、電力制御または、超高周波回路や通信用モジュールにも容易に用いることができる。
【０００５】
したがって、半導体素子は、光通信手段の送信モジュール、ＬＣＤ（Ｌｉｑｕｉｄ  Ｃｒｙｓｔａｌ  Ｄｉｓｐｌａｙ）表示装置のバックライトを構成する冷陰極管（ＣＣＦＬ：Ｃｏｌｄ  Ｃａｔｈｏｄｅ  Ｆｌｕｏｒｅｓｃｅｎｃｅ  Ｌａｍｐ）を代替する発光ダイオードバックライト、蛍光灯や白熱電球を代替することができる白色発光ダイオード照明装置、自動車ヘッドライトおよび信号灯およびガス（Ｇａｓ）や火災を感知するセンサーなどにまで応用が広がっている。また、半導体素子は、高周波応用回路や他の電力制御装置、通信用モジュールにまで応用が拡大できる。
【発明の概要】
【発明が解決しようとする課題】
【０００６】
実施例の解決課題の一つは、配光を増加させることができる発光モジュール及びこれを備えた照明システムを提供することができる。
【０００７】
実施例の解決課題の一つは、反射効率を向上させることができる発光モジュール及びこれを備えた照明システムを提供することができる。
【０００８】
実施例の解決課題の一つは、中心領域の光度を向上させると共に配光を増加させることができる発光モジュール及びこれを備えた照明システムを提供することができる。
【０００９】
実施例の解決課題の一つは、スリム化を実現してデザイン自由度を向上させることができる発光モジュール及びこれを備えた照明システムを提供することができる。
【００１０】
実施例の解決課題の一つは、配光を向上させると共に加工が容易な発光モジュール及びこれを備えた照明システムを提供することができる。
【課題を解決するための手段】
【００１１】
実施例による発光モジュールは、基板の一側に隣接するように前記基板上に配置された駆動部；前記基板の他側に隣接し、前記基板の一面上に配置された第１発光部；前記基板の他側に隣接し、前記基板の他面上に配置され、前記第１発光部と異なる波長を発光する第２発光部；及び前記第１及び第２発光部を囲み、前記第１及び第２発光部と対面する第１及び第２領域を含む反射部を含み、前記第１及び第２発光部それぞれは、少なくとも一つ以上の発光チップを含み、前記第１及び第２領域は、前記第１及び第２発光部それぞれの前記発光チップを基準に放物線屈曲を有する複数のサブ領域を含むことができる。
【００１２】
実施例によると、前記反射部は、複数のファセット（ｆａｃｅｔ）を含み、前記反射部は、光が出射する出射面を含み、前記出射面方向に徐徐に広くなる幅を有し、前記複数のファセットは、前記複数のサブ領域それぞれに配置され、互いに隣接した前記ファセットは、前記基板の一面と水平な第１方向を基準に互いに異なる傾斜角を有し得る。
【００１３】
実施例によると、前記複数のファセットは、前記反射部の内側面上で凸または凹の表面を有し得る。
【００１４】
実施例によると、前記複数のファセットは、前記反射部の周り方向及び深さ方向に１２個以上配置され得る。
【００１５】
実施例によると、前記反射部は、前記出射面の反対側に配置された床面を含み、前記出射面及び前記底面は、前記複数のサブ領域の境界領域に互いに対称する傾斜角を有する境界部を含むことができる。
【００１６】
実施例によると、前記境界部は、前記反射部の外側面に沿って互いに会う凹の第１及び第２面を含むことができる。
【００１７】
実施例によると、前記境界部は、前記複数のサブ領域から延び、前記反射部の外側面に沿って前記複数のサブ領域の傾斜角と対応するように互いに会うことができる。
【００１８】
実施例によると、前記複数のファセットは、前記複数のサブ領域それぞれに配置された割合は、次のような式で求めることができ、
Ｍ：Ｎ（Ｍ≧８、Ｎ＞３）であり、
前記Ｍは、前記反射部の周り方向に配置されたファセットの個数であり、
前記Ｎは、前記反射部の深さ方向に配置されたファセットの個数であり得る。
【００１９】
実施例によると、前記複数のファセットは、第１及び第２発光部は、前記反射部の周り方向に同じ幅と同じ面積を有し得る。
【００２０】
実施例によると、前記第１及び第２発光部は、前記基板方向に互いに重畳され、前記反射部の前記底面の外郭に配置され得る。
【００２１】
実施例によると、前記基板は、前記反射部の前記底面から前記反射部の内側に突出した終端を含み、
【００２２】
前記終端と前記反射部の深さは、次のような式で求めることができ、
ｄ１：ｄ２（１≦ｄ１≦１０、１０≦ｄ２≦１５）の関係を満足し、
ｄ１は、前記反射部の前記底面から前記終端までの距離であり、
ｄ２は、前記反射部の深さ方向の距離であり得る。
【００２３】
実施例による発光モジュールは、基板の一側に隣接するように前記基板上に配置された駆動部；前記基板の他側に隣接し、前記基板の一面上に配置された第１発光部；前記基板の他側に隣接し、前記基板の他面上に配置され、前記第１発光部と異なる波長を発光する第２発光部；及び前記第１及び第２発光部を囲み、前記第１及び第２発光部と対面する第１及び第２領域を含む反射部を含み、前記第１及び第２発光部それぞれは少なくとも一つ以上の発光チップを含み、前記第１及び第２領域は、前記第１及び第２発光部それぞれの前記発光チップを基準に放物線屈曲を有する複数のサブ領域を含み、前記第１及び第２領域の境界領域に互いに対称する傾斜角を有する境界部を含むことができる。
【００２４】
実施例によると、前記反射部は、複数のファセット（ｆａｃｅｔ）を含み、前記反射部は、光が出射する出射面を含み、前記出射面方向に徐徐に広くなる幅を有し、前記複数のファセットは、前記複数のサブ領域それぞれに配置され、互いに隣接した前記ファセットは、前記基板の一面と水平な第１方向を基準に互いに異なる傾斜角を有し得る。
【００２５】
実施例によると、前記第１領域は、第１及び第２サブ領域を含み、前記第２領域は、第３及び第４サブ領域を含み、前記複数のファセットのうち前記第１及び第２サブ領域の境界領域に配置されたファセットは、前記第１及び第２サブ領域を共有し、前記複数のファセットのうち前記第３及び第４のサブ領域の境界領域に配置されたファセットは、前記第１および第２のサブ領域を共有することができる。
【００２６】
実施例の照明システムは、第１方向に複数に配置された第１ないし第１４項のいずれか一つの発光モジュール；及び前記発光モジュール上に配置されたカバー部を含むことができる。
【発明の効果】
【００２７】
実施例は、発光チップそれぞれを基準に放物線曲率を有する複数のサブ領域を含む反射部を提供して反射効率を向上させることができる。
【００２８】
実施例は、反射部の出射面幅を減らしてスリム化を実現してデザイン自由度が向上し得る。
【００２９】
実施例は、光度低下を改善することができる。
【００３０】
実施例は、発光チップそれぞれを基準に放物線曲率を有する複数のサブ領域に複数のファセットが含まれて多様な方向に光を反射させて配光を増加させることができる。
【００３１】
実施例は、複数のファセットの個数を減らして加工性を向上させることができる。
【図面の簡単な説明】
【００３２】
【図１】図１は、第１実施例による発光モジュールを示した平面図である。
【図２】図２は、図１の発光部を示した図である。
【図３】図３は、図１のＡ−Ａラインに沿って切断した発光モジュールを示した断面図である。
【図４】図４は、第１方向及び第２方向のファセットを含んだ反射部の後面を示した斜視図である。
【図５】図５は、反射部の第１方向の長さによる配光変化を示した図である。
【図６】図６は、反射部の第３方向の長さによる配光変化を示した図である。
【図７】図７は、反射部内部に配置された基板の第３方向の長さによる放熱変化を示した図である。
【図８】図８は、第２実施例による発光モジュールを示した平面図である。
【図９】図９は、第２実施例の第１方向及び第２方向のファセットを含んだ反射部の後面を示した斜視図である。
【図１０】図１０は、第３実施例による発光モジュールを示した断面図である。
【図１１】図１１は、第３実施例の第１方向及び第２方向のファセットを含んだ反射部の後面を示した斜視図である。
【図１２】図１２は、第４実施例による発光モジュールを示した平面図である。
【図１３】図１３は、実施例の発光モジュールを含む照明システムを示した平面図である。
【図１４】図１４は、図１３の第１発光部から発光された光の配光分布を示した図である。
【図１５】図１５は、図１３の第２発光部から発光された光の配光分布を示した図である。
【図１６】図１６は、図１３の照明システムを示した斜視図である。
【図１７】図１７は、図１４の第１発光部と基板を示した平面図である。
【発明を実施するための形態】
【００３３】
以下、添付した図面を参照して本発明の実施例ついて本発明が属する技術分野における通常の知識を有する者が容易に実施することができるように詳細に説明する。しかし、本発明は多様な異なる形態で実現され得、ここで説明する実施例に限定されない。
【００３４】
明細書全体において、ある部分がある構成要素を「含む」とするとき、これは特に反対となる記載がない限り他の構成要素を除くことなく他の構成要素をさらに含むことができることを意味する。層、膜、領域、板などの部分が他の部分の「上」にあるというとき、これは他の部分の「真上」にある場合だけでなくその中間にまた他の部分がある場合も含む。反対に、ある部分が他の部分の「真上」にあるというときには中間に他の部分がないことを意味する。
【００３５】
そして、図面で本発明を明確に説明するために説明と関係ない部分は省略し、多くの層及び領域を明確に表現するために厚さを拡大し示し、明細書全体を通じて類似の部分については類似の図面符号を付けた。
【００３６】
図１は、第１実施例による発光モジュールを示した平面図であり、図２は、図１の発光部を示した図であり、図３は、図１のＡ−Ａラインに沿って切断した発光モジュールを示した断面図であり、図４は、第１方向及び第２方向のファセットを含んだ反射部の後面を示した斜視図である
【００３７】
図５は、反射部の第１方向の長さによる配光変化を示した図であり、図６は、反射部の第３方向の長さによる配光変化を示した図であり、図７は、反射部内部に配置された基板の第３方向の長さによる放熱変化を示した図である。
【００３８】
図１ないし図４に示されたように、第１実施例の発光モジュール１００は、発光部及び反射部１２０を含むことができる。前記発光部は基板１４０と、前記基板１４０の一面１４０ａ上に配置された第１発光部１５０及び前記基板１４０の他面１４０ｂ上に配置された第２発光部１６０とを含むことができる。すなわち、前記第１及び第２発光部１５０、１６０は、基板１４０を間に置いて第１方向Ｘ方向に重畳され得る。第１実施例は、第１方向Ｘに分離した第１及び第２発光部１５０、１６０から発光された光の反射効率を向上させることができるコップ構造の反射部１２０を含んで発光モジュール１００の出射部の中心領域の光度を向上させ、配光効率を向上させることができる。
【００３９】
前記基板１４０は、第１及び第２発光部１５０、１６０と電気的に連結された回路パターン（図示せず）を含むことができる。前記基板１４０は、回路パターン（図示せず）を含む印刷回路基板（ＰＣＢ、Ｐｒｉｎｔｅｄ  Ｃｉｒｃｕｉｔ  Ｂｏａｒｄ）であり得る。前記基板１４０は、収支材質のＰＣＢのみならず、メタルコアＰＣＢ（ＭＣＰＣＢ、Ｍｅｔａｌ  Ｃｏｒｅ  ＰＣＢ）、セラミックス基板、軟性ＰＣＢ（ＦＰＣＢ、Ｆｌｅｘｉｂｌｅ  ＰＣＢ）の少なくとも一つを含むこともできる。前記基板１４０は、表面に前記回路パターンを保護するレジスト（Ｒｅｓｉｓｔ）材質の層や反射のための反射材質の層を含むことができる。前記基板１４０は、下部に放熱のための金属層や放熱プレートが配置され得る。
【００４０】
前記基板１４０は、反射部１２０の内側方向に突出した終端を含むことができる。ここで、前記基板１４０の一面１４０ａ及び他面１４０ｂは、前記第１方向Ｘと直交する第２方向Ｙに水平するように配置される。前記基板１４０の終端は、第１及び第２方向Ｘ、Ｙと直交する第３方向Ｚに配置され得る。前記基板１４０の終端は、反射部１２０の底面１２０ｓから出射面１２０ｅ方向に配置され得る。
【００４１】
第１実施例は、基板１４０の一部が前記反射部１２０内部に配置されて前記第１及び第２発光部１５０、１６０から発生した熱の伝導領域を確保して放熱を向上させることができる。具体的に、前記基板１４０の終端の位置と前記反射部１２０の深さ方向の距離は、ｄ１：ｄ２（１≦ｄ１≦１０、１０≦ｄ２≦１５）の関係を満足することができる。ここで、ｄ１は、前記第１及び第２発光部１５０、１６０が配置された領域から前記基板１４０の終端までの距離ｄ１であり、ｄ２は、前記反射部１２０の深さ方向の距離ｄ２である。ここで、前記反射部１２０の深さ方向は、第３方向Ｚと対応し得る。
【００４２】
ｄ１：ｄ２（ｄ１＜１、１０≦ｄ２≦１５）の場合、前記第１及び第２発光部１５０、１６０が配置された領域から前記基板１４０の終端までの短い距離によって放熱効率が低下されて第１及び第２発光部１５０、１６０の寿命が低下し得る。ｄ１：ｄ２（ｄ１＞１０、１０≦ｄ２≦１５）の場合、前記基板１４０の終端が前記反射部１２０の出射面１２０ｅが隣接されるので、前記基板１４０による光経路遮断によって配光基準を満足しにくいことがある。
【００４３】
ｄ１：ｄ２（１≦ｄ１≦１０、ｄ２＜１０）の場合、前記基板１４０の終端が前記反射部１２０の出射面１２０ｅが隣接されるので、前記基板１４０による光経路遮断によって配光基準を満足しにくいことがある。ｄ１：ｄ２（１≦ｄ１≦１０、ｄ２＞１５の場合、前記反射部１２０の深さが大きくなるほど反射部１２０による発光モジュール１００の全体サイズが増加するので、スリム及び薄形化に困難がある。
【００４４】
前記ｄ１は、２ｍｍないし２０ｍｍであり得、ｄ２は、２０ｍｍないし３０ｍｍであり得る。具体的にｄ１は、２ｍｍないし１６ｍｍであり得、ｄ２は、２０ｍｍないし３０ｍｍであり得る。ｄ１が２ｍｍ未満の場合、放熱効率が低下され得、ｄ１が２０ｍｍ超過の場合、放熱効率が低下され得、前記基板１４０による光経路遮断によって配光基準を満足しにくいことがある。ｄ２が２０ｍｍ未満の場合、前記反射部１２０の出射面１２０ｅが隣接されるので、前記基板１４０による光経路遮断によって配光基準を満足しにくいことがあり、ｄ２が３０ｍｍ超過の場合、発光モジュール１００の全体サイズが増加するので、スリム及び薄形化に困難がある。
【００４５】
図６及び図７を参照すれば、第１実施例の発光モジュール１００は、前記基板１４０の終端が前記反射部１２０の内部方向に突出して放熱機能を向上させるのみならず、配光基準を満足することができる。
【００４６】
前記第１発光部１５０は、前記基板１４０の一面１４０ａ上に配置され得る。前記第２発光部１６０は、前記基板１４０の他面１４０ｂ上に配置され得る。前記第１及び第２発光部１５０、１６０は、基板１４０を間に置いて第１方向Ｘに互いに重畳され得る。前記第１及び第２発光部１５０、１６０は、互いに異なる波長の光を発光することができる。これによって第１実施例の発光モジュール１００は、互いに異なる波長の光を選択的に発光することができる。
【００４７】
前記第１発光部１５０は、少なくとも１個以上の発光チップを含むことができる。第１実施例の第１発光部１５０は、第１及び第２発光チップ１５１、１５３を含む２チップ半導体素子パッケージであり得る。前記第１及び第２発光チップ１５１、１５３は、互いに同じ波長の光を発光することができる。例えば、前記第１発光部１５０は、白色波長の光を発光することができる。
【００４８】
前記第２発光部１６０は、少なくとも１個以上の発光チップを含むことができる。第１実施例の第２発光部１６０は、第３及び第４発光チップ１６１、１６３を含む２チップ半導体素子パッケージであり得る。前記第３及び第４発光チップ１６１、１６３は、互いに同じ波長の光を発光することができる。例えば、前記第２発光部１６０は、黄色波長、赤色波長、橙色波長の少なくとも一つの光を発光することができる。
【００４９】
前記第１及び第２発光部１５０、１６０は、紫外線、可視光線または赤外線の波長帯域の少なくとも一つを発光することができる。前記第１及び第２発光部１５０、１６０は、蛍光体を有する層やフィルムが配置され得、これに対して限定しない。前記第１ないし第４発光チップ１５１、１５３、１６１、１６３は、ＵＶ（Ｕｌｔｒａｖｉｏｌｅｔ）ＬＥＤチップ、グリーンＬＥＤチップ、ブルーＬＥＤチップ、レッドＬＥＤチップ、赤外ＬＥＤチップの少なくとも一つを含むことができる。前記第１ないし第４発光チップ１５１、１５３、１６１、１６３は，例えば、ブルーＬＥＤチップを含むことができる。第１ないし第４発光チップ１５１、１５３、１６１、１６３は、ＩＩＩ−Ｖ族化合物半導体及びＩＩ−ＶＩ族化合物半導体の少なくとも一つを含むことができる。第１ないし第４発光チップ１５１、１５３、１６１、１６３は、化合物半導体層が積層された発光構造物を含むことができる。前記発光構造物は、第１導電型半導体層、活性層及び第２導電型半導体層を含むことができる。第１ないし第４発光チップ１５１、１５３、１６１、１６３は，フリップチップ方式に配置されたり、垂直型チップ構造に配置されたり、水平型チップ構造に配置され得る。
【００５０】
前記第１及び第２発光部１５０、１６０は、前記反射部１２０の底面１２０ｓと隣接するように配置され得、前記反射部１２０内部に配置されない。前記第１及び第２発光部１５０、１６０は、光が一側方向に発光されるサイドビュータイプであり得、前記第１及び第２発光部１５０、１６０の光出射方向は、第３方向Ｚであり得る。
【００５１】
具体的に、前記第１及び第２発光部１５０、１６０は、前記反射部１２０の外郭に配置され得る。前記第１及び第２発光部１５０、１６０の一側面は、前記反射部１２０の底面１２０ｓと第方向Ｘ及び第２方向Ｙに同一平面上に配置され得るが、これに限定されるものではない。前記第１及び第２発光部１５０、１６０は、前記反射部１２０外郭に配置されて前記第１及び第２発光部１５０、１６０から発光された光の反射効率を増大させることができる。また、前記第１及び第２発光部１５０、１６０は、前記反射部１２０外郭に配置されて前記第１及び第２発光部１５０、１６０が外部に露出するので、放熱特性を向上させることができる。前記第１及び第２発光部１５０、１６０が前記反射部１２０内部に配置される場合、反射部１２０は、サイドビュータイプの第１及び第２発光部１５０、１６０が配置された領域周辺で光の経路が制限され得る。すなわち、反射部１２０は、前記第１及び第２発光部１５０、１６０と第１方向Ｘ及び第２方向Ｙに重畳された領域で反射効率が低下し得る。
【００５２】
他の例として、前記第１及び第２発光部１５０、１６０は、前記反射部１２０の反射面１２０ｓから第３方向Ｚに一定の間隔で離隔し得る。前記第１及び第２発光部１５０、１６０は、配光特性によって反射部１２０の底面１２０ｓ周辺に損失されない条件で反射面１２０から第３方向Ｚに一定の間隔で離隔し得る。他の例として、前記第１及び第２発光部１５０、１６０の不良のとき、リペアが容易く、前記第１及び第２発光部１５０、１６０が反射部１２０から離隔する空間によって放熱特性が向上し得る。
【００５３】
また他の例として、前記第１及び第２発光部１５０、１６０は、前記反射部１２０内部に少なくとも一部が配置され得る。前記第１及び第２発光部１５０、１６０は、配光特性によって反射部１２０内部に少なくとも一部が配置され得る。前記第１及び第２発光部１５０、１６０は、反射効率を低下させない条件で前記反射部１２０内部に配置され得る。また他の例は、前記第１及び第２発光部１５０、１６０が反射部１２０内に配置されて外力による前記第１及び第２発光部１５０、１６０の損傷を改善することができる。
【００５４】
前記反射部１２０は、前記第１及び第２発光部１５０、１６０と隣接した底面１２０ｓ及び光が出射される出射面１２０ｅを含むコップ構造であり得る。前記出射面１２０ｅ及び底面１２０ｓは、孔構造であり得、互いに形状は同じであり得るが、これに限定されるものではない。前記出射面１２０ｅの幅は、前記底面１２０ｓの幅より大きいことがある。例えば、前記出射面１２０ｅの第１方向の第１幅Ｗ１及び第２方向Ｙの第２幅Ｗ２は、互いに同じか、または第２幅Ｗ２がさらに大きいことがある。例えば、前記第１及び第２幅Ｗ１、Ｗ２は、Ｗ１：Ｗ２（０．５≦Ｗ２≦１、Ｗ２＝１）の関係を満足することができる。ここで、Ｗ１は、前記第１及び第２発光部１５０、１６０が重畳された第１方向Ｘで反射部１２０の出射面１２０ｅの幅であり、Ｗ２は、前記Ｗ１と直交する出射面１２０ｅの幅である。ここで、Ｗ２は、第２方向Ｙと対応し得る。
【００５５】
具体的に第１幅Ｗ１は、１０ｍｍないし２０ｍｍであり得、第２幅Ｗ２は、２０ｍｍであり得る。ここで、前記第２幅Ｗ２は、２０ｍｍに限定されず、照明システムのデザインまたは配光要求事項に応じて変更され得る。前記第１幅Ｗ１は、第２幅Ｗ２によってＷ１：Ｗ２（０．５≦Ｗ２≦１、Ｗ２＝１）の関係を満足する範囲で変更され得る。
【００５６】
図５を参照すれば、前記第１幅Ｗ１は、徐徐に大きくなるほど第１方向Ｘの配光が増加し得る。例えば、前記第１幅Ｗ１は、前記第２幅Ｗ２の同じ条件で最大配光を実現することができる。第１実施例の発光モジュール１００は、前記反射部１２０の第１及び第２幅Ｗ１、Ｗ２の相対的な割合条件によって配光基準を満足することができる。
【００５７】
前記反射部１２０は、前記第１発光部１５０の光を反射させる第１領域１２１及び前記第２発光部１６０の光を反射させる第２領域１２３を含むことができる。
【００５８】
前記第１領域１２１は、前記第１発光部１５０と対面することができる。前記第１領域１２１は、前記基板１４０の一面１４０ａと対面することができる。前記第１領域１２１は、互いに異なる放物線屈曲を有する第１サブ領域１２１ａ及び第２サブ領域１２１ｂを含むことができる。具体的に、前記第１サブ領域１２１ａは、第１発光チップ１５１が配置された第１基準Ｃ１から放物線を有し得る。前記第２サブ領域１２１ｂは、前記第２発光チップ１５３が配置された第２基準Ｃ２から放物線を有し得る。第１実施例の発光モジュール１００は、第１及び第２発光チップ１５１、１５３の位置を基準に放物線曲率を有する反射部１２０を提供して光が発光する第１及び第２発光チップ１５１、１５３を考慮して発光モジュール１００の配光を増加させることができる。
【００５９】
前記第２領域１２３は、前記第２発光部１６０と対面することができる。前記第２領域１２３は、前記基板１４０の他面１４０ｂと対面することができる。前記第２領域１２３は、互いに異なる放物線屈曲を有する第３サブ領域１２３ａ及び第４サブ領域１２３ｂを含むことができる。具体的に、前記第３サブ領域１２３ａは、第３発光チップ１６１が配置された第３基準Ｃ１から放物線を有し得る。前記第４サブ領域１２３ａは、前記第４発光チップ１６３が配置された第４基準Ｃ４から放物線を有し得る。第１実施例の発光モジュール１００は、第３及び第４発光チップ１６１、１６３の位置を基準に放物線曲率を有する反射部１２０を提供して光が発光する第３及び第４発光チップ１６１、１６３を考慮して発光モジュール１００の配光を増加させることができる。
【００６０】
第１実施例の反射部１２０は、複数のファセット（ｆａｃｅｔ）１２０ｆを含むことができる。ここで、前記複数のファセット１２０ｆは、反射部１２０の表面上で互いに異なる傾斜角を有する複数の面で提供され得る。前記複数のファセット１２０ｆは、互いに異なる傾斜角で多様な光の反射方向を提供して発光モジュール１００の配光を増加させることができる。前記複数のファセット１２０ｆは、凹の表面形状であり得る。前記複数のファセット１２０ｆは、凸の表面形状であり得る。また、前記複数のファセット１２０ｆは、隣接したファセットが凹の表面または凸の表面が連結された構造であり得る。
【００６１】
第１実施例の前記複数のファセット１２０ｆは、前記反射部１２０の周り方向に１２個以上であり得る。また、前記複数のファセット１２０ｆは、前記反射部１２０の第３方向Ｚと対応する深さ方向に１２個以上であり得る。前記複数のファセット１２０ｆは、前記反射部１２０の周り方向及び深さ方向に多くなるほど光の反射角度が多様になって配光が増加することができる。
【００６２】
前記反射部１２０は、第１ないし第４サブ領域１２１ａ、１２１ｂ、１２３ａ、１２３ｂの間に配置された境界部１２０ｂを含むことができる。前記境界部１２０ｂは、互いに対称する傾斜角を有する第１面１２０ｂ１及び第２面１２０ｂ２を含むことができる。例えば、前記第１面１２０ｂ１は、前記第１サブ領域１２１ａから延び得、前記第２面１２０ｂ２は、前記第２サブ領域１２１ｂから延び得る。前記境界部１２０ｂは、前記複数のファセット１２０ｆを含み、第３方向Ｚへの前記複数のファセット１２０ｆの個数は、第１ないし第４サブ領域１２１ａ、１２１ｂ、１２３ａ、１２３ｂそれぞれの第３方向Ｚと対応する深さ方向の個数と対応し得る。
【００６３】
前記第１及び第２面１２０ｂ１、１２０ｂ２は、反射部１２０の外側面上で前記反射部１２０の内側方向に凹状に互いに会うことができる。前記第１及び第２面１２０ｂ１、１２０ｂ２は、それぞれ連結された第１ないし第４サブ領域１２１ａ、１２１ｂ、１２３ａ、１２３ｂそれぞれの放物線曲率によって延び得る。すなわち、前記境界部１２０ｂは、反射部１２０の外郭に沿って凹の構造であり得る。
【００６４】
第１実施例は、発光チップそれぞれを基準に放物線曲率を有する複数のサブ領域を含む反射部１２０を提供して反射効率を向上させることができる。したがって、第１実施例は、一般的な反射構造より反射部１２０の出射面１２０ｅ第１及び第２幅Ｗ１、Ｗ２を減らして発光モジュール１００の出射面１２０ｅのスリム化を実現することができる。これにより第１実施例は、多様なデザインの照明システムに提供されてデザイン自由度が向上し得る。
【００６５】
また、第１実施例は、互いに異なる波長の第１及び第２発光部１５０、１６０が基板１４０を間に置いて配置された発光モジュール１００において、第１及び第２発光部１５０、１６０に含まれた発光チップそれぞれを基準に放物線曲率を有する複数のサブ領域を含む反射部１２０を提供して発光モジュール１００の出射面１２０ｅの中心領域の光度低下を改善することができる。
【００６６】
また、第１実施例は、Ｗ１:Ｗ２（０．５≦Ｗ２≦１、Ｗ２＝１）の関係を満足する反射部１２０の出射面１２０ｅ第１及び第２幅Ｗ１、Ｗ２を提供して配光を増加させることができる。
【００６７】
また、第１実施例は、それぞれのサブ領域に複数のファセット１２０ｆが含まれて多様な方向に光を反射させて配光を増加させることができる。
【００６８】
図８は、第２実施例による発光モジュールを示した平面図であり、図９は、第２実施例の第１方向及び第２方向のファセットを含んだ反射部の後面を示した斜視図である。
【００６９】
図８及び図９を参照して第２実施例の発光モジュール２００を説明するにおいて、図１ないし図７を参照して説明された内容と重複される事項については説明が省略され得る。
【００７０】
前記反射部２２０において、出射面の幅は、第１実施例の発光モジュールの技術的特徴を採用することができる。
【００７１】
前記反射部２２０は、前記第１発光部１５０の光を反射させる第１領域２２１及び前記第２発光部１６０の光を反射させる第２領域２２３を含むことができる。
【００７２】
前記第１領域２２１は、前記第１発光部１５０と対面することができる。前記第１領域２２１は、前記基板１４０の一面１４０ａと対面することができる。前記第１領域２２１は、互いに異なる放物線屈曲を有する第１サブ領域２２１ａ及び第２サブ領域２２１ｂを含むことができる。具体的に、前記第１サブ領域２２１ａは、第１発光チップ１５１が配置された第１基準Ｃ１から放物線を有し得る。前記第２サブ領域２２１ｂは、前記第２発光チップ１５３が配置された第２基準Ｃ２から放物線を有し得る。第１実施例の発光モジュール２００は、第１及び第２発光チップ１５１、１５３の位置を基準に放物線曲率を有する反射部２２０を提供して光が発光する第１及び第２発光チップ１５１、１５３を考慮して発光モジュール２００の配光を増加させることができる。
【００７３】
前記第２領域２２３は、前記第２発光部１６０と対面することができる。前記第２領域２２３は、前記基板１４０の他面１４０ｂと対面することができる。前記第２領域２２３は互いに異なる放物線屈曲を有する第３サブ領域２２３ａ及び第４サブ領域２２３ｂを含むことができる。具体的に、前記第３サブ領域２２３ａは、第３発光チップ１６１が配置された第３基準Ｃ１から放物線を有し得る。前記第４サブ領域２２３ｂは、前記第４発光チップ１６３が配置された第４基準Ｃ４から放物線を有し得る。第１実施例の発光モジュール２００は、第３及び第４発光チップ１６１、１６３の位置を基準に放物線曲率を有する反射部２２０を提供して光が発光する第３及び第４発光チップ１６１、１６３を考慮して発光モジュール２００の配光を増加させることができる。
【００７４】
第２実施例の反射部２２０は、複数のファセット（ｆａｃｅｔ）２２０ｆを含むことができる。ここで、前記複数のファセット２２０ｆは、反射部２２０の表面上で互いに異なる傾斜角を有する複数の面で提供され得る。前記複数のファセット２２０ｆは、互いに異なる傾斜角で多様な光の反射方向を提供して発光モジュール２００の配光を増加させることができる。前記複数のファセット２２０ｆは、凹の表面形状であり得る。前記複数のファセット２２０ｆは、凸の表面形状であり得る。また、前記複数のファセット２２０ｆは、隣接したファセットが凹の表面または凸の表面が連結された構造であり得る。
【００７５】
第２実施例の前記複数のファセット２２０ｆは、前記反射部２２０の周り方向で１０個以下であり得る。例えば、前記複数のファセット２２０ｆは、前記反射部２２０の周り方向に８個であり得る。また、前記複数のファセット２２０ｆは、前記反射部２２０の第３方向Ｚと対応する深さ方向に５個以下であり得る。例えば、前記複数のファセット２２０ｆは、前記反射部２２０の第３方向Ｚと対応する深さ方向に３個であり得る。前記複数のファセット２２０ｆは、前記第１実施例の２５％ 水準に個数が少なくなることによって、前記複数のファセット２２０ｆを形成するための反射部２２０の加工性を向上させることができる。
【００７６】
前記反射部２２０は、第１ないし第４サブ領域２２１ａ、２２１ｂ、２２３ａ、２２３ｂの間に配置された境界部２２０ｂを含むことができる。前記境界部２２０ｂは、互いに対称する傾斜角を有する第１面２２０ｂ１及び第２面２２０ｂ２を含むことができる。例えば前記第１面２２０ｂ１は、前記第１サブ領域２２１ａから延び得、前記第２面２２０ｂ２は、前記第３サブ領域２２３ａから延び得る。前記境界部２２０ｂは、前記複数のファセット２２０ｆを含み、第３方向Ｚへの前記複数のファセット２２０ｆの個数は、第１ないし第４サブ領域２２１ａ、２２１ｂ、２２３ａ、２２３ｂそれぞれの第３方向Ｚと対応する深さ方向の個数と対応し得る。
【００７７】
前記第１及び第２面２２０ｂ１、２２０ｂ２は、反射部２２０の外側面上で前記反射部２２０の内側方向に凹状に互いに会うことができる。前記第１及び第２面２２０ｂ１、２２０ｂ２は、それぞれ連結された第１ないし第４サブ領域２２１ａ、２２１ｂ、２２３ａ、２２３ｂそれぞれの放物線曲率によって延び得る。すなわち、前記境界部２２０ｂは、反射部２２０の外郭に沿って凹の構造であり得る。
【００７８】
第２実施例は、発光チップそれぞれを基準に放物線曲率を有する複数のサブ領域を含む反射部２２０を提供して反射効率を向上させることができる。したがって、第２実施例は、一般的な反射構造より反射部２２０の出射面の幅を減らして発光モジュール２００の出射面のスリム化を実現することができる。これにより第２実施例は、多様なデザインの照明システムに提供されてデザイン自由度が向上し得る。
【００７９】
また、第２実施例は、互いに異なる波長の第１及び第２発光部１５０、１６０が基板１４０を間に置いて配置された発光モジュール２００において、第１及び第２発光部１５０、１６０に含まれた発光チップそれぞれを基準に放物線曲率を有する複数のサブ領域を含む反射部２２０を提供して発光モジュール２００の出射面の中心領域の光度低下を改善することができる。
【００８０】
また、第２実施例は、第１ないし第４サブ領域２２１ａ、２２１ｂ、２２３ａ、２２３ｂ及び境界部２２０ｂに複数のファセット２２０ｆが含まれて多様な方向に光を反射させて配光を増加させることができる。
【００８１】
また第２実施例は、複数のファセット２００ｆの個数を前記第１実施例の２５％ 水準に実現することによって、前記複数のファセット２２０ｆを形成するための反射部２２０の加工性を向上させることができる。
【００８２】
図１０は、第３実施例による発光モジュールを示した断面図である。
【００８３】
図１１は、第３実施例の第１方向及び第２方向のファセットを含んだ反射部の後面を示した斜視図である。
【００８４】
図１０及び図１１を参照して第３実施例の発光モジュール３００を説明するにおいて、図１ないし図７を参照して説明された内容と重複される事項については説明が省略され得る。
【００８５】
前記反射部３２０は、出射面幅は第１実施例の発光モジュールの技術的特徴を採用することができる。
【００８６】
前記反射部３２０は、前記第１発光部１５０の光を反射させる第１領域３２１及び前記第２発光部１５０の光を反射させる第２領域３２３を含むことができる。
【００８７】
前記第１領域３２１は、前記第１発光部１５０と対面することができる。前記第１領域３２１は、前記基板１４０の一面１４０ａと対面することができる。前記第１領域３２１は、互いに異なる放物線屈曲を有する第１サブ領域３２１ａ及び第２サブ領域３２１ｂを含むことができる。具体的に、前記第１サブ領域３２１ａは、第１発光チップ１５１が配置された第１基準Ｃ１から放物線を有し得る。前記第２サブ領域３２１ｂは、前記第２発光チップ１５３が配置された第２基準Ｃ２から放物線を有し得る。第３実施例の発光モジュール３００は、第１及び第２発光チップ１５１、１５３の位置を基準に放物線曲率を有する反射部３２０を提供して光が発光する第１及び第２発光チップ１５１、１５３を考慮して発光モジュール３００の配光を増加させることができる。
【００８８】
前記第２領域３２３は、前記第２発光部１６０と対面することができる。前記第２領域３２３は、前記基板１４０の他面１４０ｂと対面することができる。前記第２領域３２３は、互いに異なる放物線屈曲を有する第３サブ領域３２３ａ及び第４サブ領域３２３ｂを含むことができる。具体的に、前記第３サブ領域３２３ａは、第３発光チップ１６１が配置された第３基準Ｃ３から放物線を有し得る。前記第４サブ領域３２３ｂは、前記第４発光チップ１６３が配置された第４基準Ｃ４から放物線を有し得る。第３実施例の発光モジュール３００は、第３及び第４発光チップ１６１、１６３の位置を基準に放物線曲率を有する反射部３２０を提供して光が発光する第３及び第４発光チップ１６１、１６３を考慮して発光モジュール３００の配光を増加させることができる。
【００８９】
第３実施例の反射部３２０は、複数のファセット（ｆａｃｅｔ）３２０ｆを含むことができる。ここで、前記複数のファセット３２０ｆは、反射部３２０の表面上で互いに異なる傾斜角を有する複数の面で提供され得る。前記複数のファセット３２０ｆは、互いに異なる傾斜角で多様な光の反射方向を提供して発光モジュール３００の配光を増加させることができる。前記複数のファセット３２０ｆは、凹の表面形状であり得る。前記複数のファセット３２０ｆは、凸の表面形状であり得る。また、前記複数のファセット３２０ｆは、隣接したファセットが凹の表面または凸の表面が連結された構造であり得る。
【００９０】
第３実施例の前記複数のファセット３２０ｆは、前記反射部３２０の周り方向に１０個以下であり得る。例えば、前記複数のファセット３２０ｆは、前記反射部３２０の周り方向に８個であり得る。また、前記複数のファセット３２０ｆは、前記反射部３２０の第３方向Ｚと対応する深さ方向に５個以下であり得る。例えば、前記複数のファセット３２０ｆは、前記反射部３２０の第３方向Ｚと対応する深さ方向に３個であり得る。前記複数のファセット３２０ｆは、前記第２実施例の５０％水準に個数が少なくなることによって、前記複数のファセット３２０ｆを形成するための反射部３２０の加工性を向上させることができる。
【００９１】
第３実施例は、前記第１ないし第４サブ領域３２１ａ、３２１ｂ、３２３ａ、３２３ｂが互いに連結され得る。例えば、前記第１サブ領域３２１ａ及び第２サブ領域３２１ｂは互いに連結され得、前記第１サブ領域３２１ａ課題３サブ領域３２３ａは互いに連結され得、第２サブ領域３２１ｂ及び第４サブ領域３２３ｂは互いに連結され得、第３サブ領域３２３ａ及び第４サブ領域３２３ｂは互いに連結され得る。前記第１ないし第４サブ領域３２１ａ、３２１ｂ、３２３ａ、３２３ｂの境界領域は、反射部３２０の外郭に沿って凸の構造で直接隣接することができる。
【００９２】
第３実施例は、発光チップそれぞれを基準に放物線曲率を有する複数のサブ領域を含む反射部３２０を提供して反射効率を向上させることができる。したがって、第２実施例は、一般的な反射構造より反射部３２０の出射面の幅を減らして発光モジュール３００の出射面のスリム化を実現することができる。これにより第３実施例は、多様なデザインの照明システムに提供されてデザイン自由度が向上し得る。
【００９３】
また、第３実施例は、互いに異なる波長の第１及び第２発光部１５０、１６０が基板１４０を間に置いて配置された発光モジュール３００において、第１及び第２発光部１５０、１６０に含まれた発光チップそれぞれを基準に放物線曲率を有する複数のサブ領域を含む反射部３２０を提供して発光モジュール３００の発光面の中心領域の光度低下を改善することができる。
【００９４】
また、第３実施例は、第１ないし第４サブ領域３２１ａ、３２１ｂ、３２３ａ、３２３ｂに複数のファセット３２０ｆが含まれて多様な方向に光を反射させて配光を増加させることができる。
【００９５】
また第３実施例は、複数のファセット３２０ｆの個数を前記第２実施例の５０％ 水準に実現することによって、前記複数のファセット３２０ｆを形成するための反射部３２０の加工性を向上させることができる。
【００９６】
図１２は、第４実施例による発光モジュールを示した平面図である。
【００９７】
図１２を参照して第４実施例の発光モジュール４００を説明するにおいて、図１ないし図７を参照して説明された内容と重複される事項については説明が省略され得る。
【００９８】
前記反射部４２０は、出射面の幅は、第１実施例の発光モジュールの技術的特徴を採用することができる。
【００９９】
前記反射部４２０は、前記第１発光部１６０の光を反射させる第１領域４２１及び前記第２発光部１６０の光を反射させる第２領域４２３を含むことができる。
【０１００】
前記第１領域４２１は、前記第１発光部１５０と対面することができる。前記第１領域４２１は、前記基板１４０の一面１４０ａと対面することができる。前記第１領域４２１は、互いに異なる放物線屈曲を有する第１サブ領域４２１ａ及び第２サブ領域４２１ｂを含むことができる。具体的に、前記第１サブ領域４２１ａは、第１発光チップ１５１が配置された第１基準Ｃ１から放物線を有し得る。前記第２サブ領域４２１ｂは、前記第２発光チップ１５３が配置された第２基準Ｃ２から放物線を有し得る。第４実施例の発光モジュール４００は、第１及び第２発光チップ１５１、１５３の位置を基準に放物線曲率を有する反射部４２０を提供して光が発光する第１及び第２発光チップ１５１、１５３を考慮して発光モジュール４００の配光を増加させることができる。
【０１０１】
前記第２領域４２３は、前記第２発光部１６０と対面することができる。前記第２領域４２３は、前記基板１４０の他面１４０ｂと対面することができる。前記第２領域４２３は、互いに異なる放物線屈曲を有する第３サブ領域４２３ａ及び第４サブ領域４２３ｂを含むことができる。具体的に、前記第３サブ領域４２３ａは、第３発光チップ１６１が配置された第３基準Ｃ３から放物線を有し得る。前記第４サブ領域４２３ｂは、前記第４発光チップ１６３が配置された第４基準Ｃ４から放物線を有し得る。第４実施例の発光モジュール４００は、第３及び第４発光チップ１６１、１６３の位置を基準に放物線曲率を有する反射部４２０を提供して光が発光する第３及び第４発光チップ１６１、１６３を考慮して発光モジュール４００の配光を増加させることができる。
【０１０２】
第４実施例の反射部４２０は、複数のファセット（ｆａｃｅｔ）、４２０ｆを含むことができる。ここで、前記複数のファセット４２０ｆは、反射部４２０の表面上で互いに異なる傾斜角を有する複数の面で提供され得る。前記複数のファセット４２０ｆは、互いに異なる傾斜角で多様な光の反射方向を提供して発光モジュール４００の配光を増加させることができる。前記複数のファセット４２０ｆは、凹の表面形状であり得る。前記複数のファセット４２０ｆは、凸の表面形状であり得る。また、前記複数のファセット４２０ｆは、隣接したファセットが凹の表面または凸の表面が連結された構造であり得る。
【０１０３】
第４実施例の前記複数のファセット４２０ｆは、前記第１及び第２サブ領域４２１ａ、４２１ｂの境界領域で互いに連結され得る。また、前記複数のファセット４２０ｆは、前記第３及び第４サブ領域４２３ａ、４２３ｂの境界領域で互いに連結され得る。第４実施例は、前記第１及び第２サブ領域４２１ａ、４２１ｂの境界領域で互いに同じ傾斜角を有するファセット４２０ｆが第２方向Ｙに共有され得る。前記第１及び第２サブ領域４２１ａ、４２１ｂの境界領域のファセット４２０ｆは、前記第１及び第２サブ領域４２１ａ、４２１ｂを共有することができる。具体的に、前記第１及び第２サブ領域４２１ａ、４２１ｂの境界領域のファセット４２０ｆの一部は、前記第１サブ領域４２１ａに配置され、他の一部は、前記第２サブ領域４２１ｂに配置され得る。第４実施例は、前記第３及び第４サブ領域４２３ａ、４２３ｂの境界領域で互いに同じ傾斜角を有するファセット４２０ｆの第２方向Ｙに共有され得る。したがって、第４実施例は、全体ファセット４２０ｂの個数を減らして加工性を向上させると共に配光を増加させることができる。
【０１０４】
前記反射部４２０は、第１サブ領域４２１ａ及び第３サブ領域４２３ａの間に配置された境界部４２０ｂを含むことができる。また、前記反射部４２０は、第２サブ領域４２１ｂ及び第４サブ領域４２３ｂの間に配置された境界部４２０ｂを含むことができる。すなわち、前記境界部４２０ｂは、第１領域４２１、第２領域４２３の間の境界領域に配置され得る。前記境界部４２０ｂは、互いに対称する傾斜角を有する第１面４２０ｂ１及び第２面４２０ｂ２を含むことができる。例えば、前記第１面４２０ｂ１は、前記第１サブ領域４２１ａから延び得、前記第２面４２０ｂ２は、前記第２サブ領域４２１ｂから延び得る。前記境界部４２０ｂは、前記複数のファセット４２０ｆを含み、第３方向Ｚへの前記複数のファセット４２０ｆの個数は、第１ないし第４サブ領域４２１ａ、４２１ｂ、４２３ａ、４２３ｂそれぞれの第３方向Ｚと対応する深さ方向の個数と対応し得る。
【０１０５】
前記第１及び第２面４２０ｂ１、４２０ｂ２は、反射部４２０の外側面上で前記反射部４２０の内側方向に凹状に互いに会うことができる。前記第１及び第２面４２０ｂ１、４２０ｂ２は、それぞれ連結された第１領域４２１及び第２領域４２３それぞれの放物線曲率によって延び得る。すなわち、前記境界部４２０ｂは、反射部４２０の外郭に沿って凹の構造であり得る。
【０１０６】
第４実施例は、発光チップそれぞれを基準に放物線曲率を有する複数のサブ領域を含む反射部４２０を提供して反射効率を向上させることができる。したがって、第４実施例は、一般的な反射構造より反射部４２０の出射面の幅を減らして発光モジュール４００の出射面のスリム化を実現することができる。これにより第４実施例は、多様なデザインの照明システムに提供されてデザイン自由度が向上し得る。
【０１０７】
また、第４実施例は、互いに異なる波長の第１及び第２発光部１５０、１６０が基板１４０を間に置いて配置された発光モジュール４００において、第１及び第２発光部１５０、１６０に含まれた発光チップそれぞれを基準に放物線曲率を有する複数のサブ領域を含む反射部４２０を提供して発光モジュール４００の発光面の中心領域の光度低下を防止することができる。
【０１０８】
また、第４実施例は、第１ないし第４サブ領域４２１ａ、４２１ｂ、４２３ａ、４２３ｂに複数のファセット４２０ｆが含まれて多様な方向に光を反射させて配光を増加させることができる。
【０１０９】
また、第４実施例は、前記第１及び第２サブ領域４２１ａ、４２１ｂと、第３及び第４サブ領域４２３ａ、４２３ｂの境界領域で前記複数のファセット４２０ｆが互いに連結されて全体ファセット４２０ｆの個数を減らして加工性を向上させることができる。
【０１１０】
図１３は、実施例の発光モジュールを含む照明システムを示した平面図であり、図１４は、図１３の第１発光部から発光された光の配光分布を示した図であり、図１５は、図１３の第２発光部から発光された光の配光分布を示した図である。
【０１１１】
図１６は、図１３の照明システムを示した斜視図であり、図１７は、図１４の第１発光部と基板を示した平面図である。
【０１１２】
図１、図１３ないし図１６に示されたように、実施例の照明システムは、複数の発光モジュール１００、２００、３００、４００と前記複数の発光モジュール１００、２００、３００、４００を覆うカバー部４４０を含むことができる。前記複数の発光モジュール１００、２００、３００、４００は、図１ないし図１２を参照して説明された内容と重複される事項については説明が省略され得る。
【０１１３】
実施例の照明システムは、互いに異なる波長を発光する第１発光部１５０及び第２発光部１６０が基板１４０を間に置いて配置され得る。実施例の照明システムは、一例として自動車の全面部の照明装置に含まれ得る。例えば、前記第１発光部１５０は、白色光を発光することができ、昼間走行の照明機能を含むことができる。前記第２発光部１６０は、黄色波長、赤色波長、橙色波長の少なくとも一つの光を発光することができ、方向指示照明であり得る。前記第１及び第２発光部１５０、１６０は、これに限定されず、発光波長は変更され得、機能も変更され得る。
【０１１４】
実施例の照明システムは、基板１４０を間に置いて互いに異なる波長を発光する第１発光部１５０及び第２発光部１６０が配置され、前記第１発光部１５０及び第２発光部１６０に含まれた発光チップそれぞれを基準に放物線曲率を有する複数のサブ領域を含む反射部１２０を提供して光度を向上させることができるだけでなく、配光が増加し得る。
【０１１５】
実施例の照明システムは、発光チップそれぞれを基準に放物線曲率を有する複数のサブ領域を含む反射部１２０を提供して反射効率を向上させることができる。したがって、実施例は、一般的な反射構造より反射部１２０の第１及び第２幅Ｗ１、Ｗ２を減らしてスリム化を実現することができる。これにより実施例の照明システムは、デザイン自由度が向上し得る。
【０１１６】
実施例の照明システムは、基板１４０の一側に複数の反射部１２０、２２０、３２０、４２０が配置され、前記基板１４０上には、第２方向Ｙに第１発光部１５０及び第２発光部１６０が配置され得る。前記第２方向Ｙは、基板１４０の長軸方向と対応し得る。
【０１１７】
前記基板１４０は、第２方向Ｙで第１領域１４１及び第２領域１４３が提供され得る。前記第１領域１４１は、回路駆動素子（図示せず）が実装され得、第２領域１４３は、第１発光部１５０及び第２発光部１６０が実装され得る。また、前記第２領域１４３は、反射部１２０、２２０、３２０、４２０が配置され得る。
【０１１８】
前記基板１４０を間に置いて配置された第１発光部１５０及び第２発光部１６０の配置位置は、前記第２領域１４３内で第２方向Ｙにｄ３:ｄ４（１≦ｄ３≦7．５、１≦ｄ４≦7．５）の関係を満足することができる。ここで、ｄ３は、第２方向Ｙに第１発光部１５０と第１領域１４１との間の距離であり、ｄ４は、第２方向Ｙに第１発光部１５０と第２領域１４３の終端との間の距離である。前記第１発光部１５０の配置位置がｄ３:ｄ４（１≦ｄ３≦7．５、１≦ｄ４≦7．５）の関係を外れる場合、前記第１発光部１５０と基板１４０の終端または回路駆動素子との間隔が細くなって放熱効率が低下し得る。
【０１１９】
実施例による照明システムは、各種の指示装置、照明装置、街灯、室内灯、屋外灯のような用途に使用され得る。
【０１２０】
以上、実施例に説明された特徴、構造、効果などは本発明の少なくとも一つの実施例に含まれ、必ずしも一つの実施例にのみ限定されるものではない。さらに、各実施例において例示された特徴、構造、効果などは、実施例が属する分野の通常の知識を有する者によって他の実施例に対しても組合せまたは、変形して実施可能である。したがって、このような組合せと変形に関係する内容は、本発明の範囲に含まれるものと解釈されるべきである。
【０１２１】
また、以上で実施例を中心に説明したが、これは単なる例示に過ぎず、本発明を限定するものではなく、本発明が属する分野の通常の知識を有した者であれば本発明の本質的な特性を逸脱しない範囲で、以上で例示されていない様々な変形と応用が可能であることが理解できるだろう。例えば、本発明の実施例に具体的に示された各構成要素は、変形して実施することができるものである。そして、このような変形と応用に係る差異点は、添付された請求範囲で規定する本発明の範囲に含まれるものと解釈されるべきである。
【図１】
2020508553.tif 000003
【図２】
2020508553.tif 000004
【図３】
2020508553.tif 000005
【図４】
2020508553.tif 000006
【図５】
2020508553.tif 000007
【図６】
2020508553.tif 000008
【図７】
2020508553.tif 000009
【図８】
2020508553.tif 000010
【図９】
2020508553.tif 000011
【図１０】
2020508553.tif 000012
【図１１】
2020508553.tif 000013
【図１２】
2020508553.tif 000014
【図１３】
2020508553.tif 000015
【図１４】
2020508553.tif 000016
【図１５】
2020508553.tif 000017
【図１６】
2020508553.tif 000018
【図１７】
2020508553.tif 000019
【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
基板の一側に隣接するように前記基板上に配置された駆動部；
前記基板の他側に隣接し、前記基板の一面上に配置された第１発光部；
前記基板の他側に隣接し、前記基板の他面上に配置され、前記第１発光部と異なる波長を発光する第２発光部；及び
前記第１発光部及び前記第２発光部を囲み、前記第１発光部及び前記第２発光部と対面する第１領域及び第２領域を含む反射部を含み、
前記第１発光部及び前記第２発光部それぞれは、少なくとも一つ以上の発光チップを含み、
前記第１領域及び前記第２領域は、前記第１発光部及び前記第２発光部それぞれの前記発光チップを基準に放物線屈曲を有する複数のサブ領域を含み、
前記反射部は、複数のファセット（ｆａｃｅｔ）を含み、
前記反射部は、光が出射する出射面を含み、前記出射面方向に徐徐に広くなる幅を有し、
前記複数のファセットは、前記複数のサブ領域それぞれに配置され、互いに隣接した前記ファセットは、前記基板の一面と垂直な第１方向または水平な第１方向を基準に互いに異なる傾斜角を有する発光モジュール。
【請求項２】
前記複数のサブ領域は、第１サブ領域ないし第４サブ領域を含み、
前記第１サブ領域ないし前記第４サブ領域は、お互いに連結され、
前記第１サブ領域ないし前記第４サブ領域の境界領域は、前記反射部の外郭に沿って凸の構造で接する、請求項１に記載の発光モジュール。
【請求項３】
前記複数のファセットは、前記反射部の内側面上で凸または凹の表面を有する、請求項１に記載の発光モジュール。
【請求項４】
前記複数のファセットは、前記反射部の周り方向及び深さ方向に１２個以上配置された、請求項２または請求項３に記載の発光モジュール。
【請求項５】
前記反射部は、前記出射面の反対側に配置された底面を含み、
前記出射面及び前記底面は、前記複数のサブ領域の境界領域に互いに対称する傾斜角を有する境界部を含む、請求項１または請求項２に記載の発光モジュール。
【請求項６】
前記複数のサブ領域は、第１サブ領域ないし第４サブ領域を含み、
前記境界部は、互いに対称する第１面及び第２面を含み、
前記第１面は、前記第１サブ領域から延び、
前記第２面は、前記第２サブ領域から延び、
前記第１面及び前記第２面は、前記反射部の外側面上で前記反射部の内側方向に凹状に折曲された形状を有し、
前記境界部は、前記第１発光部の中心領域と対応して配置される、請求項５に記載の発光モジュール。
【請求項７】
前記境界部は、前記複数のサブ領域から延び、前記反射部の外側面に沿って前記複数のサブ領域の傾斜角と対応するように延び、互いに会う、請求項５に記載の発光モジュール。
【請求項８】
前記複数のファセットは、前記複数のサブ領域それぞれに配置された割合は、次のような式で求めることができ、
Ｍ：Ｎ（Ｍ≧８、Ｎ≧３）であり、
前記Ｍは、前記反射部の周り方向に配置されたファセットの個数であり、
前記Ｎは、前記反射部の深さ方向に配置されたファセットの個数である、請求項２に記載の発光モジュール。
【請求項９】
前記複数のファセットは、前記反射部の周り方向に同じ幅と同じ面積を有する、請求項２に記載の発光モジュール。
【請求項１０】
前記第１発光部及び前記第２発光部は、前記基板の一面と水平な前記第１方向に互いに重畳され、前記反射部の前記底面の外郭に配置され、
前記基板は、前記反射部の前記底面から前記反射部内側に突出した終端を含み、
前記終端と前記反射部の前記底面と前記出射面との間の距離は、次のような式で求めることができ、
ｄ１:ｄ２（１≦ｄ１≦１０、１０≦ｄ２≦１５）の関係を満足し、
ｄ１は、前記反射部の前記底面から前記終端までの距離であり、
ｄ２は、前記反射部の深さ方向の距離である、請求項５に記載の発光モジュール。
【国際調査報告】
2020508553.tif 000020
2020508553.tif 000021
2020508553.tif 000022
2020508553.tif 000023